【事件の表示】
　特許第３１８１０９０号「縦結合二重モードリーキーＳＡＷフィルタ」の請求項１、２に係る特許に対する特許異議の申立てについて、次のとおり決定する。
【結　論】
　訂正を認める。
　特許第３１８１０９０号の請求項１に係る特許を維持する。
【理　由】
１．手続の経緯
　本件特許第３１８１０９０号の請求項１ないし２に係る発明についての出願は、平成４年３月４日に特許出願され、平成１３年４月２０日にその発明について特許権の設定登録がなされ、その後、寺尾健吾より特許異議の申立てがなされ、取消しの理由が２回通知され、その２回目の指定期間内である平成１４年７月１９日に訂正請求がなされたものである。
　
２．訂正の適否
２−１．訂正の内容
　請求項１を削除し、引用形式で記載していた請求項２を独立形式で記載し新たな請求項１とする。
　
２−２．訂正の目的の適否及び拡張・変更の存否
　上記訂正は、特許請求の範囲の減縮を目的とするものであり、また、願書に添付した明細書又は図面に記載された事項であり、かつ、実質的に特許請求の範囲を拡張又は変更するものではない。
　
２−４．「訂正の適否」のむすび
　以上のとおりであるから、上記訂正請求は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議申立てについて
３−１．本件発明
  ２．で示したように上記訂正が認められるから、本件請求項１に係る発明（以下、「本件発明」という）は、訂正明細書の特許請求の範囲の請求項１に記載された次のとおりのものである。
「インタデジタル・トランスジューサ（ＩＤＴ）電極が励振又は受信するリーキー弾性表面波（ＳＡＷ）の伝搬方向に沿って圧電基板上に入出力ＩＤＴを近接配置し、これらの両側に該リーキーＳＡＷの振動を閉じ込めて共振子とする為の反射器を設け、前記ＩＤＴ間の音響結合によって発生する２つの共振モードを利用する縦結合二重モードリーキーＳＡＷフィルタに於いて、前記ＩＤＴが３個のＩＤＴより成り、これらＩＤＴ間の音響結合によって発生する１次及び３次の共振モードを利用したものであって、前記ＩＤＴの電極指幅（ライン幅）ｈと間隔幅（スペース幅）ａとの関係が０．３≦ｈ／（ｈ＋ａ）＜０．５であることを特徴とする縦結合二重モードリーキーＳＡＷフィルタ。」
　
３−２．申立ての理由の概要
　申立人は、甲第１号証ないし甲第５号証及び参考資料１を提出し、本件発明は、甲第１号証ないし甲第５号証に記載された発明に基いて、当業者が容易に発明をすることができたものであるから、特許法第２９条第２項の規定に違反してなされたものである旨主張している。
　
３−３．申立人が提出した甲各号証等
　申立人の提出した甲第１号証（特開昭６２−１３００１０号公報）には次の事項が記載されている。
・「（３）シアーホリゾンタル型の弾性表面波が伝搬する圧電基板上に、中心間隔が上記弾性表面波の伝搬波長の略１／２である多数の互いに接続している金属ストリップからなる反射器と、少なくとも一組のすだれ状電極とを備えた弾性表面波素子において、上記反射器の金属指幅をＬＲ、金属指間隔をＳＲとし、線幅比ηＲをηＲ＝ＬＲ／（ＬＲ＋ＳＲ）で表わした場合、０．５＜ηＲ＜１．０とされており、かつ、上記すだれ状電極の電極指幅をＬＴ、電極指幅間隔をＳＴとし、線幅比ηＴをηＴ＝ＬＴ／（ＬＴ＋ＳＴ）で表わした場合、ηＴ＞ηＲとされていることを特徴とする弾性表面波素子。
（４）特許請求の範囲第３項において、０．１≦ηＲ≦０．４５とされ、かつ、０．３≦ηＴ≦０．７されている弾性表面波素子。」（特許請求の範囲第３項及び第４項）
・「第４図には本発明を共振型フィルターに適用したさらに他の実施例が示されている。この共振型フィルターは、２組のすだれ状電極２、２’を有し、その外側に反射器３、３’が形成されている。」（第５頁右上欄第１〜４行）        ・「なお、この実施例の圧電基板１は、３６度Ｙカットのタンタル酸リチウムであり、弾性表面波の伝搬方向は大略Ｘ軸方向である。しかし、他の圧電基板を用いた場合も同様な傾向が得られた。ところで、すだれ状電極の線幅比ηＴには望ましくは以下に述べるような制限が設けられる。第５図には、すだれ状電極の線幅比ηＴと、電極容量との関係が示されている。これによると、すだれ状電極の線幅比ηＴを大きくすると電極容量が大きくなり、結果的に容量比が大きくなる。また、帯域外減衰量も劣化する。第６図には、すだれ状電極の線幅比ηＴと放射コンダクタンスとの関係が示されている。ここで、放射コンダクタンスは、例えば弾性表面波共振子の共振抵抗と逆比例の関係がある。弾性表面波共振子の共振抵抗は一般に小さいほうがよいが、そのためにはすだれ状電極の放射コンダクタンスは大きいほうがよい。以上のことから、すだれ状電極の線幅比ηＴは、０．３≦ηＴ≦０．７の範囲が容量比、共振抵抗の点より好ましいといえる。」（第５頁左下欄第１行〜同頁右下欄第１行）
　
　申立人の提出した甲第２号証（東洋通信機技報、Ｎｏ．４８、１９９１、Ｐ．１２〜２１）には次の事項が記載されている。
・「図１１のように共振子をＳＡＷの伝搬方向で結合させれば、０次縦モード（対称モード）と１次縦モード（反対称モード）が分離して励起し、この２つの共振周波数を利用すれば、縦結合ＤＭＳフィルタが実現できる。」（第１９頁左欄第８〜１１行）
・「図１４は前章と同じ規格の２８０ＭＨＺ帯ＳＡＷフィルタを６４゜Ｙ−Ｘ　ＬｉＮｂＯ３を用いた縦結合ＤＭＳフィルタで実現した周波数特性を示す。ＩＤＴにはスプリアスを抑圧するためコサイン型の重みづけを施し入出力ＩＤＴ共に１４対、反射器は両側とも８０本、交差幅は５０λ、Ａｌ膜厚は３％λである。」（第２０頁左欄第７〜１２行）
　
　申立人の提出した甲第３号証（Ｅ．Ａ．ＧＥＲＢＥＲ“Ｐｒｅｃｉｓｉｏｎ　Ｆｒｅｑｕｅｎｃｙ　Ｃｏｎｔｒｏｌ”　Ｖｏｌｕｍｅ　１　“Ａｃｏｕｓｔｉｃ　Ｒｅｓｏｎａｔｏｒｓ　ａｎｄ　Ｆｉｌｔｅｓ”　１９８５、Ｐ１１９〜１２３、なお訳訳文は提出されていない）には次の事項が記載されている。
・ＦＩＧ．２．３−２（Ｐ．１２２）に、２つのＩＤＴとその両側に反射器を有するＳＡＷ共振器の構成とその周波数特性が示されている。
　
　申立人の提出した甲第４号証（電子通信学会技術研究報告　ＵＳ８４−３２，１９８４．９．２８）には次の事項が記載されている。
・「入力トランスデューサあるいは出力トランスデューサにおいて、放射コンダクタンスＧａと外部回路の負荷コンダクタンスＧｌとの比Ｇｌ／Ｇａは、表面波から電気信号に変換される効率Ｔ、又は表面波のトランスデューサにおける反射効率Ｒとの間にそれぞれ次のような関係がある。ここで簡単化のためにトランスデューサが受動無損失回路で、散乱行列すべてが実数をとると仮定している。
　Ｔ＝１０ ｌｏｇ（４ｂ／（１＋ａ）（１＋ｂ）２）　・・・（２）
　　・・（略）・・
　　ａ：方向性パワー比
　　（ａ＝１：完全双方向性、ａ＝０：完全な一方向性）
　　ｂ＝Ｇｌ／Ｇａ　　　・・・（５）」（第１８頁左欄第２６〜同頁右欄第１行）
　
　申立人の提出した甲第５号証（特開平１−２３１４１７号公報）には次の事項が記載されている。
・「第５図（ａ）、（ｂ）は、本発明による２重モード２端子対弾性表面波フィルタの実施例の電極の構成例と、縦０次モード（Ｍ０）４と縦２次モード（Ｍ２）６の変位分布を示す。」（第３頁右下欄第１６〜１９行）
　
　申立人の提出した参考資料１（電子通信学会技術研究報告  ＵＳ９２−８）は、本件特許出願後である１９９２年（平成４年）５月２８日に刊行されたものである。
　
３−４．対比・判断
　本件発明と甲第１号証に記載された事項とを対比すると、甲第１号証には、本件発明における、ＩＤＴが３個のＩＤＴより成り、これらＩＤＴ間の音響結合によって発生する１次及び３次の共振モードを利用したものである縦結合二重モードリーキーＳＡＷフィルタにおいて、ＩＤＴの電極指幅（ライン幅）ｈと間隔幅（スペース幅）ａとの関係が０．３≦ｈ／（ｈ＋ａ）＜０．５とする点について開示がなく、またこれを示唆する記載もない。甲第１号証は、その第４図に示すような２組のすだれ状電極とその外側に反射器を形成した共振器フィルターにおいて、反射器における線幅比ηＲを特定の範囲とし、かつすだれ状電極の線幅比ηＴがηＴ＞ηＲとされる条件下において、０．３≦ηＴ≦０．７とするものであり、すだれ状電極の線幅比ηＴすなわち本件発明におけるｈ／（ｈ＋ａ）についてのみみると、０．３≦ηＴ＜０．５の範囲において一致しているが、甲第１号証には、このようなすだれ状電極の線幅比に係る限定を、ＩＤＴが３個のＩＤＴより成り、これらＩＤＴ間の音響結合によって発生する１次及び３次の共振モードを利用したものである縦結合二重モードリーキーＳＡＷフィルタに適用すること、及びかかる適用によって本件発明におけるような作用効果を奏することについて、これらを示唆する記載は認められない。そして、甲第２号証ないし甲第５号証にもこれらの点を示唆する記載は認められず、また、甲第２号証ないし甲第５号証は、いずれも、ＩＤＴが３個のＩＤＴより成り、これらＩＤＴ間の音響結合によって発生する１次及び３次の共振モードを利用したものである縦結合二重モードリーキーＳＡＷフィルタ、に関するものではないから、甲第１号証と甲第２号証ないし甲第５号証を組み合せても、本件発明を構成することはできない。
　したがって、本件発明が甲第１号証ないし甲第５号証に記載された発明に基いて当業者が容易に発明をすることができたものとは認められない。
　
４．むすび
　以上のとおりであるから、特許異議申立ての理由及び証拠によっては本件請求項１に係る発明の特許を取り消すことはできない。
　また、他に本件請求項１に係る発明の特許を取り消すべき理由を発見しない。
　よって、結論のとおり決定する。
【異議決定日】
平成１４年１０月３日（２００２．１０．３）
【訂正の要旨】
訂正の要旨
・特許第３１８１０９０号の明細書中特許請求の範囲の請求項１〜２において、特許請求の範囲の減縮を目的として、請求項１を削除し、引用形式で記載していた請求項２を独立形式で記載して新たな請求項１とする。
（５４）【発明の名称】
縦結合二重モードリーキーＳＡＷフィルタ
（５７）【特許請求の範囲】
　【請求項１】
　インタデジタル・トランスジューサ（ＩＤＴ）電極が励振又は受信するリーキー弾性表面波（ＳＡＷ）の伝搬方向に沿って圧電基板上に入出力ＩＤＴを近接配置し、これらの両側に該リーキーＳＡＷの振動を閉じ込めて共振子とする為の反射器を設け、前記ＩＤＴ間の音響結合によって発生する２つの共振モードを利用する縦結合二重モードリーキーＳＡＷフィルタに於いて、前記ＩＤＴが３個のＩＤＴより成り、これらＩＤＴ間の音響結合によって発生する１次及び３次の共振モードを利用したものであって、前記ＩＤＴの電極指幅（ライン幅）ｈと間隔幅（スペース幅）ａとの関係が０．３≦ｈ／（ｈ＋ａ）＜０．５であることを特徴とする縦結合二重モードリーキーＳＡＷフィルタ。
【発明の詳細な説明】
　【０００１】
　【産業上の利用分野】本発明はＳＡＷフィルタ、殊に広帯域低損失で且つ急峻度が優れ、阻止域減衰量の大きな縦結合二重モードリーキーＳＡＷフィルタに関する。
　【０００２】
　【従来の技術】従来、ＶＨＦ〜ＵＨＦ帯の高周波領域に於ける広帯域低損失ＳＡＷフィルタには、一方向性ＩＤＴを用いたトランスバーサル型ＳＡＷフィルタやマルチトランスジューサ方式ＳＡＷフィルタが広く用いられている。一方向性ＩＤＴを用いたトランスバーサル型ＳＡＷフィルタは位相器を必要とし製造も難しいという欠点を有すると共に方向性損失を完全になくすることが困難であり低損失化が未だ不十分である。次にマルチトランスジューサ方式ＳＡＷフィルタはチップサイズが大きくなりボンディングワイヤの本数が多くなる上に、ＩＤＴ内部の反射によるスプリアスが多く現われ、阻止域の減衰量が不十分であるという欠点がある。
　【０００３】これに対してＳＡＷ共振器フィルタ、殊に２個のＩＤＴをＳＡＷの伝搬方向に沿って近接配置し、これらが励起するＳＡＷがＩＤＴ間で互いに音響結合した際に生ずる１次モードと２次モードの２つの振動モードを利用した縦結合二重モードＳＡＷフィルタは低損失を実現する上で前述の２つの方法よりも優れている。この縦結合二重モードＳＡＷフィルタの通過帯域幅は共振子の容量比の制限を受ける為これまで広帯域フィルタへの適用は困難であるとされていたが、本発明者らは結合係数が１１％と大きい６４°ＹカットＸ伝搬ＬｉＮｂＯ３基板を伝搬するＳＡＷを用いて２．５％以上の比帯域幅を持つ広帯域低損失な縦結合二重モードリーキーＳＡＷフィルタを発明した。（特願平２−３３７２８１）
　【０００４】更に例えば、携帯電話、自動車電話に用いる９００ＭＨｚ帯ＲＦフィルタでは比帯域幅が３〜４％の広帯域低損失ＳＡＷフィルタが必要となり、これには前述の６４°ＹカットＸ伝搬ＬｉＮｂＯ３基板の伝搬方向に沿って３つのＩＤＴを近接配置し、これらが励起するＳＡＷがＩＤＴ間で互いに音響結合した際に生ずる１次モードと３次モードの２つの振動モードを利用すると、前述の１次モードと２次モードを利用したフィルタに比べてモード間の周波数差が広がり実用上十分な広い通過帯域幅を持つフィルタが構成できることを明らかにした。
　【０００５】しかしながら、携帯電話等の９００ＭＨｚ帯ＲＦフィルタでは、例えば北米仕様（ＡＭＰＳ）では通過帯域幅が２５ＭＨｚ必要となるのに対して送受信の周波数が４５ＭＨｚしか離隔していない為より急峻度の大きなフィルタを必要とする。前述の１次モードと３次モードを利用した縦結合二重モードリーキーＳＡＷフィルタをこの携帯電話用９００ＭＨｚ帯ＲＦフィルタに適用すると低域側では比較的急峻な肩特性が得られ阻止域減衰量も大きいのに対し、高域側では縦結合二重モードフィルタ特有のスプリアスの為、阻止域減衰量が不足する上に肩特性の急峻度も未だ不十分であった。
　【０００６】これを解決する方法として、このフィルタを多段縦続接続して阻止域減衰量を大きくし、且つ肩特性を急峻にすることが考えられるが、段数を増すに従って挿入損失が増大すると共に通過帯域も狭くなり実用に供しなくなる。従って例えば縦結合二重モードリーキーＳＡＷフィルタを２段縦続接続することによって挿入損失を実用に耐え得る程度に小さくしても、高域側の阻止域減衰量が不足し要求を満足できないという欠点があった。
　【０００７】
　【発明の目的】本発明は上述した如き従来の縦結合二重モードリーキーＳＡＷフィルタの高域側の阻止域減衰量が不足するという欠点を解決する為になされたものであって、広帯域低損失であり且つ急峻度が大きく阻止域減衰量の十分大きなフィルタ特性を有する縦結合二重モードリーキーＳＡＷフィルタを提供することを目的とする。
　【０００８】
　【発明の概要】上述の目的を達成するため本発明に係る縦結合二重モードリーキーＳＡＷフィルタは、ＩＤＴの電極指幅（ライン幅）ｈと間隔幅（スペース幅）ａとの関係が０．３≦ｈ／（ｈ＋ａ）＜０．５となるようにする。
　【０００９】
　【実施例】以下本発明を図面に示した実施例に基づいて詳細に説明する。図１は本発明に係る縦結合二重モードリーキーＳＡＷフィルタの一実施例の電極パターンの構成図であって、圧電基板１の表面に入力ＩＤＴ及びその両側に出力ＩＤＴ３、４を配置し、更にその両側に反射器５、５を配している。このＩＤＴ周期をＬＴ（＝ＳＡＷの波長λ）、ライン幅をｈ、スペース幅をａとする。［ここでＬＴ＝２（ｈ＋ａ）］この構成によりＩＤＴ間の音響結合によって生ずる１次モードと３次モードの２つの共振モードを利用した縦結合二重モードリーキーＳＡＷフィルタを実現できる。
　【００１０】次に、図２は図１に於いて、ＩＤＴのライン幅ｈとスペース幅ａを等しくｈ：ａ＝１：１［即ちｈ／（ｈ＋ａ）＝０．５］とした従来の縦結合二重モードリーキーＳＡＷフィルタを２段縦続接続した場合の周波数減衰特性を示す図であり、ここで基板は６４°ＹカットＸ伝搬ＬｉＮｂＯ３、入力ＩＤＴは１６対、出力ＩＤＴはそれぞれ１０対、反射器は両側とも２５０本、交差長は４０λ、電極はアルミニウムで膜厚は０．２μｍである。同図から明らかな如く、通過域の高域側近傍に大きなスプリアス６が現われ、例えば北米仕様（ＡＭＰＳ）携帯電話の場合、通過帯域幅が２５ＭＨｚ必要となるのに対して送受信周波数間隔が４５ＭＨｚであるので、同図中斜線で示すように中心周波数から±４５ＭＨｚ離れた周波数で十分な減衰量が要求される。ところが通過域の高域側近傍の大きなスプリアス６により減衰量が悪化し規格を満足できなかったこと前述した通りである。
　【００１１】図３は他は同じ条件としてＩＤＴのライン幅ｈとスペース幅ａの比を変えた時の周波数減衰特性の実験値を示すグラフである。同図より明らかな如くＩＤＴのライン幅ｈとスペース幅ａの比［ｈ／（ｈ＋ａ）］が小さくなる程通過域の高域側近傍のスプリアスが減少し減衰量が大きくなる。しかし上述した如く従来ＩＤＴのライソ−スペース比はｈ：ａ＝１：１とするのが一般的であり、特にＳＡＷ共振子或はリーキーＳＡＷ共振子ではライン幅がスペース幅より細くなると共振子のＱが低下する為、できるかぎり同じかむしろライン幅を太くするように構成するのが常であった。［０．５≦ｈ／（ｈ＋ａ）］
　【００１２】これに対して本発明の縦結合二重モードリーキーＳＡＷフィルタに於けるＩＤＴのライン幅ｈは、通過域の高域側近傍のスプリアスを減らし減衰量を大きくする為スペース幅ａよりも細くなるようにしたものである。［ｈ／（ｈ＋ａ）＜０．５］図４はＩＤＴのライン幅ｈとスペース幅ａの比ｈ／（ｈ＋ａ）に対する通過域の高域側近傍の減衰量の変化を示した図であって、ｈ／（ｈ＋ａ）を０．４７以下にすると前述の北米向け携帯電話の仕様（ＡＭＰＳ）を満足する２５ｄＢ以上の減衰量が得られた。更にｈ／（ｈ＋ａ）の値を小さくすると減衰量は大きくなるものの、ＩＤＴのライン幅が細くなる為、オーミックロスが増大しインピーダンスが高くなる。図５はｈ／（ｈ＋ａ）＝０．２０の場合の周波数減衰特性を示した図であって、他の条件は図２と同じである。図５よりライン幅が極端に細くなると同じ終端条件（５０Ω）では通過域特性に大きな偏差が現われ、実用に耐え難くなる。終端条件５０Ωの場合、通過域に於ける偏差が小さく挿入損失が劣化しない程度のライン幅ｈとスペース幅ａの比はｈ／（ｈ＋ａ）＝０．３０付近であった。従って、通過域特性に著しい影響を与えることなく前述の北米向け携帯電話の仕様（ＡＭＰＳ）を満足する高域側近傍の減衰量を得るには、ライン幅ｈとスペース幅ａの比ｈ／（ｈ＋ａ）を０．３≦ｈ／（ｈ＋ａ）≦０．４７とすればよいことが明らかとなった。
　【００１３】尚、ライン幅ｈを細くすると質量負荷効果の影響が小さくなって中心周波数が高い方へシフトするのはもちろんであるが、反射係数（モード間結合係数κ１２´）が大きくなってストップバンド幅が広がり通過帯域幅も広がっていくというメリットもある。以上、本発明を北米向け携帯電話の仕様（ＡＭＰＳ）を例に説明してきたが、本発明はこれのみに限定されるものではなく、広帯域低損失なフィルタを実現する為ＩＤＴのライン幅ｈとスペース幅ａとの関係を０．３≦ｈ／（ｈ＋ａ）＜０．５とした縦結合二重モードリーキーＳＡＷフィルタを示したのである。又、本発明を６４°ＹカットＸ伝搬ＬｉＮｂＯ３基板上のリーキーＳＡＷを用い、１次モードと３次モードの２つの共振モードを利用した縦結合二重モードリーキーＳＡＷフィルタについて説明したが、同様に１次モードと２次モードの２つの共振モードを利用してもよいし、４１°ＹカットＸ伝搬ＬｉＮｂＯ３、３６°ＹカットＸ伝搬ＬｉＴａＯ３等、他のカット、基板のリーキーＳＡＷを用いてもよいこと明白である。
　【００１４】
　【発明の効果】本発明は、以上説明した如く構成するものであるから、高周波領域に於いて広帯域低損失で且つ阻止域減衰量の大きなフィルタを得る上で著しい効果がある。
　【００１５】
【図面の簡単な説明】
　【図１】本発明に係る縦結合二重モードリーキーＳＡＷフィルタの電極パターン構成を示す図。
　【図２】従来の縦結合二重モードリーキーＳＡＷフィルタ［ｈ／（ｈ＋ａ）＝０．５］の周波数減衰特性を示す図。
　【図３】図１の縦結合二重モードリーキーＳＡＷフィルタに於いてｈ／（ｈ＋ａ）を変えた時の周波数減衰特性の変化を示す図。
　【図４】図１の縦結合二重モードリーキーＳＡＷフィルタに於いてｈ／（ｈ＋ａ）を変えた時の通過域近傍の高域側減衰量の変化を示す図。
　【図５】図１の縦結合二重モードリーキーＳＡＷフィルタに於いてｈ／（ｈ＋ａ）＝０．２０とした時の周波数減衰特性を示す図。
　【符号の説明】
　１・・・圧電基板
　２・・・中央ＩＤＴ
　３、４・・・両側ＩＤＴ
　５・・・反射器
　６・・・通過域の高域側近傍スプリアス